(57)【要約】【課題】ユーザ情報を利用した処理を決済サーバ１２に行わせ、その結果に応じてコンテンツを提供することができるようにする。【解決手段】このシステムでは、ユーザ情報は、決済サーバ１２に登録され、ユーザ情報を利用する処理（購入条件を満たすか否かの判定処理）は、決済サーバ１２により行われる。すなわち、このシステムによれば、コンテンツ提供サーバ１１は、ユーザ情報を管理する必要がないので、その構成を簡単なものにすることができる。また決済サーバ１２は、限られた電子マネー決済事業者により管理されているので、コンテンツ提供事業者の場合に比べ、ユーザは、安心してユーザ情報を提供することができる。【選択図】      図２
2004234462.tif 000002
【特許請求の範囲】
【請求項１】
ネットワークを介して接続される、携帯型記憶媒体が接続された情報処理装置、前記情報処理装置に利用情報を提供する情報提供装置、および前記利用情報の利用に対する決済処理を行う決済処理装置からなるコンテンツ提供システムにおいて、
前記携帯型記憶媒体は、
前記携帯型記憶媒体を識別する識別情報と、価値情報を記憶する第１の記憶手段と、
前記決済処理装置における前記決済処理の結果に応じて、前記価値情報を変更する変更手段と
を備え、
前記情報提供装置は、
前記利用情報および前記利用情報に関連付けて前記利用情報の情報利用条件を記憶する第２の記憶手段と、
前記情報処理装置に提供する前記利用情報の前記情報利用条件を前記第２の記憶手段から検出する検出手段と、
前記決済処理装置における、前記検出手段により検出された前記情報利用条件を利用した決済の可否の判定結果に基づき、前記利用情報を前記情報処理装置に提供する提供手段と
を備え、
前記決済処理装置は、
前記携帯型記憶媒体の前記第１の記憶手段に記憶されている前記識別情報と前記携帯型記憶媒体の利用者に関する利用者情報を取得する取得手段と、
前記取得手段により取得された前記識別情報と前記利用者情報を対応付けて記憶する第３の記憶手段と、
前記第３の記憶手段に記憶された前記利用者情報に基づき、前記利用情報の情報利用条件を判定する判定手段と、
前記判定手段の判定結果に基づき、前記利用情報の利用に対する前記決済処理を行う決済手段と
を備えることを特徴とするコンテンツ提供システム。
【請求項２】
ネットワークを介して、携帯型記憶媒体が接続された情報処理装置、および前記情報処理装置に利用情報を提供する情報提供装置と接続し、前記携帯型記憶媒体に記憶された価値情報に対して、前記利用情報の利用に対する決済処理を行う決済処理装置において、
前記携帯型記憶媒体を識別する識別情報と前記携帯型記憶媒体の利用者に関する利用者情報を取得する取得手段と、
前記取得手段により取得された前記識別情報と前記利用者情報を対応付けて記憶する記憶手段と、
前記記憶手段に記憶された前記利用者情報に基づき、前記利用情報の情報利用条件を判定する判定手段と、
前記判定手段の判定結果に基づき、前記利用情報の利用に対する前記決済処理を行う決済手段と
を備えることを特徴とする決済処理装置。
【請求項３】
前記取得手段は、前記価値情報が前記携帯型記憶媒体に書き込まれる際に、課金するための前記利用者の個人情報を取得し、前記個人情報から前記利用者情報を抽出する
ことを特徴とする請求項２に記載の決済処理装置。
【請求項４】
前記情報提供装置による前記利用情報の提供を許可するために、前記判定手段の判定結果を前記情報提供装置に送信する判定結果送信手段
をさらに備えることを特徴とする請求項２に記載の決済処理装置。
【請求項５】
前記情報処理装置から前記識別情報および前記情報利用条件を受信する受信手段をさらに備え、
前記判定手段は、前記識別情報と関連付けて前記記憶手段に記憶された前記利用者情報に基づき、前記利用情報の前記情報利用条件を判定する
ことを特徴とする請求項２に記載の決済処理装置。
【請求項６】
前記情報利用条件は、性別、年齢、地域を制限するための条件のうち少なくとも１つを含む
ことを特徴とする請求項２に記載の決済処理装置。
【請求項７】
前記決済手段は、前記判定手段による判定結果に基づき、前記携帯型記憶媒体に記憶されている前記価値情報を変更する
ことを特徴とする請求項２に記載の決済処理装置。
【請求項８】
ネットワークを介して、携帯型記憶媒体が接続された情報処理装置、および前記情報処理装置に利用情報を提供する情報提供装置と接続し、前記携帯型記憶媒体に記憶された価値情報に対して、前記利用情報の利用に対する決済処理を行う決済処理装置の決済処理方法において、
前記携帯型記憶媒体を識別する識別情報と前記携帯型記憶媒体の利用者に関する利用者情報を取得する取得ステップと、
前記取得ステップの処理で取得された前記識別情報と前記利用者情報を対応付けて記憶する記憶ステップと、
前記記憶ステップの処理で記憶された前記利用者情報に基づき、前記利用情報の情報利用条件を判定する判定ステップと、
前記判定ステップでの判定結果に基づき、前記利用情報の利用に対する前記決済処理を行う決済ステップと
を含むことを特徴とする決済処理方法。
【請求項９】
携帯型記憶媒体に記憶された価値情報に対して、前記利用情報の利用に対する決済処理を行うためのプログラムであって、
前記携帯型記憶媒体を識別する識別情報と前記携帯型記憶媒体の利用者に関する利用者情報を取得する取得ステップと、
前記取得ステップの処理で取得された前記識別情報と前記利用者情報を対応付けて記憶する記憶ステップと、
前記記憶ステップの処理で記憶された前記利用者情報に基づき、前記利用情報の情報利用条件を判定する判定ステップと、
前記判定ステップでの判定結果に基づき、前記利用情報の利用に対する前記決済処理を行う決済ステップと
を含むことを特徴とするコンピュータが読み取り可能なプログラムが記録されている記録媒体。
【請求項１０】
携帯型記憶媒体に記憶された価値情報に対して、前記利用情報の利用に対する決済処理を行うためのプログラムであって、
前記携帯型記憶媒体を識別する識別情報と前記携帯型記憶媒体の利用者に関する利用者情報を取得する取得ステップと、
前記取得ステップの処理で取得された前記識別情報と前記利用者情報を対応付けて記憶する記憶ステップと、
前記記憶ステップの処理で記憶された前記利用者情報に基づき、前記利用情報の情報利用条件を判定する判定ステップと、
前記判定ステップでの判定結果に基づき、前記利用情報の利用に対する前記決済処理を行う決済ステップと
を含む処理をコンピュータに実行させることを特徴とするプログラム。
【請求項１１】
ネットワークを介して、携帯型記憶媒体が接続された情報処理装置、および決済処理装置と接続し、前記情報処理装置に利用情報を提供する情報提供装置において、
前記利用情報および前記利用情報に関連付けて前記利用情報の情報利用条件を記憶する記憶手段と、
前記情報処理装置に提供する前記利用情報の前記情報利用条件を前記記憶手段から検出する検出手段と、
前記決済処理装置における、前記検出手段により検出された前記情報利用条件に基づく決済の可否の判定結果に基づき、前記利用情報を前記情報処理装置に提供する提供手段と
を備えることを特徴とする情報提供装置。
【請求項１２】
ネットワークを介して、携帯型記憶媒体が接続された情報処理装置、および決済処理装置と接続し、前記情報処理装置に利用情報を提供する情報提供装置の情報提供方法において、
前記利用情報および前記利用情報に関連付けて前記利用情報の情報利用条件を記憶する記憶ステップと、
前記情報処理装置に提供する前記利用情報の前記情報利用条件を検出する検出ステップと、
前記決済処理装置における、前記検出ステップの処理で検出された前記情報利用条件に基づく決済の可否の判定結果に基づき、前記利用情報を前記情報処理装置に提供する提供ステップと
を含むことを特徴とする情報提供方法。
【請求項１３】
前記情報処理装置に利用情報を提供するためのプログラムであって、
前記利用情報および前記利用情報に関連付けて前記利用情報の情報利用条件を記憶する記憶ステップと、
前記情報処理装置に提供する前記利用情報の前記情報利用条件を検出する検出ステップと、
前記決済処理装置における、前記検出ステップの処理で検出された前記情報利用条件に基づく決済の可否の判定結果に基づき、前記利用情報を前記情報処理装置に提供する提供ステップと
を含むことを特徴とするコンピュータが読み取り可能なプログラムが記録されている記録媒体。
【請求項１４】
前記情報処理装置に利用情報を提供するためのプログラムであって、
前記利用情報および前記利用情報に関連付けて前記利用情報の情報利用条件を記憶する記憶ステップと、
前記情報処理装置に提供する前記利用情報の前記情報利用条件を検出する検出ステップと、
前記決済処理装置における、前記検出ステップの処理で検出された前記情報利用条件に基づく決済の可否の判定結果に基づき、前記利用情報を前記情報処理装置に提供する提供ステップと
を含む処理をコンピュータに実行させることを特徴とするプログラム。
【発明の詳細な説明】
【０００１】
【発明の属する技術分野】
本発明は、コンテンツ提供システム、情報提供装置および方法、決済処理装置および方法、記録媒体、並びにプログラムに関し、特に、利用者情報を利用して、利用情報の利用に対する決済を行うことができるようにしたコンテンツ提供システム、情報提供装置および方法、決済処理装置および方法、記録媒体、並びにプログラムに関する。
【０００２】
【従来の技術】
【特許文献】
特開２００２−３２４２０２号公報
【０００３】
図１を参照して、従来のコンテンツ提供システムにおける決済処理を説明する（特許文献参照）。端末３、コンテンツ提供サーバ４、および決済サーバ５は、それぞれネットワーク６を介して接続されている。なお、図１には、簡単のために、１個のコンテンツ提供サーバ４が示されているが、複数個設けることができる。
【０００４】
端末３は、接続されるリーダライタ２を介して、ＩＣ（ｉｎｔｅｇｒａｔｅｄ  Ｃｉｒｃｕｉｔ）カード１に対する読み取り書き込み可能な、例えばパーソナルコンピュータである。
【０００５】
ユーザＡが、端末３を介して、コンテンツ提供サーバ４にアクセスし、サイトにおいて提供される商品またはサービス（以下、個々に区別する必要がない場合、単に、コンテンツと称する）の中から、購入を希望するコンテンツを選択すると、端末３は、ネットワーク６を介して、その旨を、コンテンツ提供サーバ４に送信する。
【０００６】
なお、以下において、端末３乃至決済サーバ５の間のデータの送受信を説明する場合、簡単のために、「ネットワーク６を介して」の文言を、適宜省略する。
【０００７】
コンテンツ提供サーバ４は、端末３から、コンテンツの購入要求を受けると、選択されたコンテンツの購入金額に関する情報を端末３に送信する。
【０００８】
端末３は、コンテンツ提供サーバ４からの情報を提示して、コンテンツを購入する際の決済方法の選択をユーザＡに促する。例えば、「クレジットカードによる決済」、「電子マネーによる決済」などの所定の決済方法の中から「電子マネーによる決済」が選択されると、端末３は、その旨を、コンテンツ提供サーバ４に送信する。
【０００９】
コンテンツ提供サーバ４は、「電子マネーによる決済」が要求されると、その注文に応じて発行した受注番号などの情報を、端末３に送信する。
【００１０】
端末３は、コンテンツ提供サーバ４から受注番号等のデータを受信すると、そのとき装着されているＩＣカード１から、リーダライタ２を介して、そこに記憶されている、ＩＣカード１のＩＤ（ｉｄｅｎｔｉｆｉｃａｔｉｏｎ  ｄａｔａ）（以下、電子マネー番号と称する）および所定の入金処理によって入金された電子マネーの残高を読み取る。
【００１１】
端末３は、コンテンツの購入金額、並びに取得した電子マネー番号と残高等を、決済サーバ５に送信する。
【００１２】
決済サーバ５は、端末３から送信されてきたＩＣカード１の電子マネー残高が、コンテンツの購入金額以上であるか否かの確認等を行って、決済の可否を判定する。決済サーバ５は、決済が可能であると判定した場合、その旨を、端末３に送信する。
【００１３】
端末３は、決済サーバ５から、決済が可能である旨の連絡を受けると、ＩＣカード１の電子マネーの残高から、購入するコンテンツの購入金額を減算する処理等を行う。
【００１４】
このようにして決済が完了すると、端末３は、購入したコンテンツの提供を、コンテンツ提供サーバ４から適宜受けることができるようになる。
【００１５】
【発明が解決しようとする課題】
ところで、上述した電子決済システムのような、ＩＣカード１に格納されている電子マネーによる決済は、基本的には、通常の紙幣を使用する場合と同様にしてなされるので、決済に際し、ユーザの年齢、性別、住所などのユーザ情報は必要とされない。したがって、従来のコンテンツ提供システムでは、これらのユーザ情報は特に登録されていないので、例えば、所定の年齢や性別のユーザに限って、決済を許可するなどの、ユーザ情報を利用した決済を行うことができない課題があった。
【００１６】
ユーザ情報を、コンテンツ提供サーバ４に登録して、コンテンツ提供サーバ４がユーザ情報に基づいてコンテンツを提供することも可能であるが、この場合、コンテンツ提供サーバ４を管理するコンテンツ提供事業者によりユーザ情報が不当に利用されるのではないかという考えから、ユーザが本システムへの加入を躊躇し、本システムの利用促進が図られなかったり、ユーザ情報を管理するためにコンテンツ提供サーバ４の構築や管理に手間がかかるなどの問題が生じる。
【００１７】
本発明はこのような状況に鑑みてなされたものであり、決済サーバ５がユーザ情報を取得し、そのユーザ情報を利用して決済を行うようにするものである。
【００１８】
【課題を解決するための手段】
本発明のコンテンツ提供システムは、携帯型記憶媒体が、携帯型記憶媒体を識別する識別情報と、価値情報を記憶する第１の記憶手段と、決済処理装置における決済処理の結果に応じて、価値情報を変更する変更手段とを備え、情報提供装置が、利用情報および利用情報に関連付けて利用情報の情報利用条件を記憶する第２の記憶手段と、情報処理装置に提供する利用情報の情報利用条件を第２の記憶手段から検出する検出手段と、決済処理装置における、検出手段により検出された情報利用条件を利用した決済の可否の判定結果に基づき、利用情報を情報処理装置に提供する提供手段とを備え、決済処理装置が、携帯型記憶媒体の第１の記憶手段に記憶されている識別情報と携帯型記憶媒体の利用者に関する利用者情報を取得する取得手段と、取得手段により取得された識別情報と利用者情報を対応付けて記憶する第３の記憶手段と、第３の記憶手段に記憶された利用者情報に基づき、利用情報の情報利用条件を判定する判定手段と、判定手段の判定結果に基づき、利用情報の利用に対する決済処理を行う決済手段とを備えることを特徴とする。
【００１９】
本発明の決済処理装置は、携帯型記憶媒体を識別する識別情報と携帯型記憶媒体の利用者に関する利用者情報を取得する取得手段と、取得手段により取得された識別情報と利用者情報を対応付けて記憶する記憶手段と、記憶手段に記憶された利用者情報に基づき、利用情報の情報利用条件を判定する判定手段と、判定手段の判定結果に基づき、利用情報の利用に対する決済処理を行う決済手段とを備えることを特徴とする。
【００２０】
取得手段は、価値情報が携帯型記憶媒体に書き込まれる際に、課金するための利用者の個人情報を取得し、個人情報から利用者情報を抽出することができる。
【００２１】
情報提供装置による利用情報の提供を許可するために、判定手段の判定結果を情報提供装置に送信する判定結果送信手段をさらに設けることができる。
【００２２】
情報処理装置から識別情報および情報利用条件を受信する受信手段をさらに設け、判定手段には、識別情報と関連付けて記憶手段に記憶された利用者情報に基づき、利用情報の情報利用条件を判定させることができる。
【００２３】
情報利用条件に、性別、年齢、地域を制限するための条件のうち少なくとも１つを含ませることができる。
【００２４】
決済手段は、判定手段による判定結果に基づき、携帯型記憶媒体に記憶されている価値情報を変更することができる。
【００２５】
本発明の決済処理方法は、携帯型記憶媒体を識別する識別情報と携帯型記憶媒体の利用者に関する利用者情報を取得する取得ステップと、取得ステップの処理で取得された識別情報と利用者情報を対応付けて記憶する記憶ステップと、記憶ステップの処理で記憶された利用者情報に基づき、利用情報の情報利用条件を判定する判定ステップと、判定ステップでの判定結果に基づき、利用情報の利用に対する決済処理を行う決済ステップとを含むことを特徴とする。
【００２６】
本発明の第１の記録媒体のプログラムは、携帯型記憶媒体を識別する識別情報と携帯型記憶媒体の利用者に関する利用者情報を取得する取得ステップと、取得ステップの処理で取得された識別情報と利用者情報を対応付けて記憶する記憶ステップと、記憶ステップの処理で記憶された利用者情報に基づき、利用情報の情報利用条件を判定する判定ステップと、判定ステップでの判定結果に基づき、利用情報の利用に対する決済処理を行う決済ステップとを含むことを特徴とする。
【００２７】
本発明の第１のプログラムは、携帯型記憶媒体を識別する識別情報と携帯型記憶媒体の利用者に関する利用者情報を取得する取得ステップと、取得ステップの処理で取得された識別情報と利用者情報を対応付けて記憶する記憶ステップと、記憶ステップの処理で記憶された利用者情報に基づき、利用情報の情報利用条件を判定する判定ステップと、判定ステップでの判定結果に基づき、利用情報の利用に対する決済処理を行う決済ステップとを含む処理をコンピュータに実行させることを特徴とする。
【００２８】
本発明の決済処理装置および方法、並びに第１のプログラムにおいては、携帯型記憶媒体を識別する識別情報と携帯型記憶媒体の利用者に関する利用者情報が取得され、取得された識別情報と利用者情報が対応付けて記憶され、記憶された利用者情報に基づき、利用情報の情報利用条件が判定され、その判定結果に基づき、利用情報の利用に対する決済処理が行われる。
【００２９】
本発明の情報提供装置は、利用情報および利用情報に関連付けて利用情報の情報利用条件を記憶する記憶手段と、情報処理装置に提供する利用情報の情報利用条件を記憶手段から検出する検出手段と、決済処理装置における、検出手段により検出された情報利用条件に基づく決済の可否の判定結果に基づき、利用情報を情報処理装置に提供する提供手段とを備えることを特徴とする。
【００３０】
本発明の情報提供方法は、利用情報および利用情報に関連付けて利用情報の情報利用条件を記憶する記憶ステップと、情報処理装置に提供する利用情報の情報利用条件を検出する検出ステップと、決済処理装置における、検出ステップの処理で検出された情報利用条件に基づく決済の可否の判定結果に基づき、利用情報を情報処理装置に提供する提供ステップとを含むことを特徴とする。
【００３１】
本発明の第２の記録媒体のプログラムは、利用情報および利用情報に関連付けて利用情報の情報利用条件を記憶する記憶ステップと、情報処理装置に提供する利用情報の情報利用条件を検出する検出ステップと、決済処理装置における、検出ステップの処理で検出された情報利用条件に基づく決済の可否の判定結果に基づき、利用情報を情報処理装置に提供する提供ステップとを含むことを特徴とする。
【００３２】
本発明の第２のプログラムは、利用情報および利用情報に関連付けて利用情報の情報利用条件を記憶する記憶ステップと、情報処理装置に提供する利用情報の情報利用条件を検出する検出ステップと、決済処理装置における、検出ステップの処理で検出された情報利用条件に基づく決済の可否の判定結果に基づき、利用情報を情報処理装置に提供する提供ステップとを含む処理をコンピュータに実行させることを特徴とする。
【００３３】
本発明の情報提供装置および方法、並びに第２のプログラムにおいては、利用情報および利用情報に関連付けて利用情報の情報利用条件が記憶され、情報処理装置に提供する利用情報の情報利用条件が検出され、決済処理装置における、検出ステップの処理で検出された情報利用条件に基づく決済の可否の判定結果に基づき、利用情報が情報処理装置に提供される。
【００３４】
【発明の実施の形態】
図２は、本発明を適用したコンテンツ提供システムの構成例を示している。このシステムには、図１のコンテンツ提供サーバ４および決済サーバ５に代えて、コンテンツ提供サーバ１１および決済サーバ１２が設けられている。他の部分は、図１における場合と同様である。
【００３５】
なお、図２には、簡単のために、１個のコンテンツ提供サーバ１１が示されているが、複数個設けることができる。また、端末２、コンテンツ提供サーバ１１、および決済サーバ１２間においてネットワーク６を介して授受されるデータは、第三者による改竄を防止するために、所定の暗号化が施されている。
【００３６】
決済サーバ１２は、ＩＣカード１に電子マネーが入金される際に、ユーザＡのユーザ情報を取得し、そのユーザ情報を利用した決済を行うことができる。
【００３７】
その結果、より変化に富んだサービスを、コンテンツ提供事業者やユーザに提供することができる。またコンテンツ提供サーバ１１は、ユーザ情報を管理する必要がないので、その構成を簡単なものにすることができる。決済サーバ１２は、限られた電子マネー決済事業者により管理されているので、コンテンツ提供事業者の場合に比べ、ユーザは、安心してユーザ情報を提供することができる。
【００３８】
図３は、コンテンツ提供サーバ１１の構成例を示している。ＣＰＵ（Ｃｅｎｔｒａｌ  Ｐｒｏｃｅｓｓｉｎｇ  Ｕｎｉｔ）にはバス２８を介して入出力インタフェース２９が接続されている。ＣＰＵ２１は、入出力インタフェース２９を介して、キーボード、マウスなどよりなる入力部３１から指令が入力されると、例えば、ＲＯＭ（Ｒｅａｄ  Ｏｎｌｙ  Ｍｅｍｏｒｙ）２２、またはドライブ３３に装着される磁気ディスク４１、光ディスク４２、光磁気ディスク４３、若しくは半導体メモリ４４などの記録媒体に格納されているプログラムを、ＲＡＭ（Ｒａｎｄｏｍ  Ａｃｃｅｓｓ  Ｍｅｍｏｒｙ）２３にロードして実行する。
【００３９】
またＣＰＵ２１は、処理結果を、例えば、入出力インタフェース２９を介して、ＬＣＤ（Ｌｉｑｕｉｄ  Ｃｒｙｓｔａｌ  Ｄｉｓｐｌａｙ）などよりなる出力部３０に必要に応じて出力する。ＣＰＵ２１はさらに、通信部３２を制御して、ネットワーク６を介して端末３または決済サーバ１２と通信する。
【００４０】
コンテンツマスタ２４は、図４に示すように、販売するコンテンツのＩＤ、名前、販売金額（購入金額）、購入条件、販売有効期限、および登録日時、並びにコンテンツ本体が格納されているコンテンツ格納部２６のコンテンツアドレス等を、それぞれ対応させて格納している。
【００４１】
なお、購入条件は、年齢、性別、地域などの項目によって条件が設定されており、例えば、以下のようなものである。
年齢についての条件：所定の年齢以上または以下若しくは未満のユーザのみが購入可能
性別についての条件：男性または女性のユーザのみが購入可能
地域についての条件：所定の都道府県（複数指定可）在住のユーザのみが購入可能
なお、所定の項目に対してのみ条件を設定し、他の項目に対して“制限なし”とすることもできる。
【００４２】
販売履歴データベース２５は、図５に示すように、販売したコンテンツのＩＤ、名前、購入金額、受注番号、受注日時、決済方法、コンテンツを購入した端末（例えば、端末３）のＩＤ、決済番号、決済日時、および決済終了コード、並びにコンテンツの提供日時等を、それぞれ対応させて格納する。なお、図中、それぞれのデータに付されている符号Ａ乃至符号Ｃの意味については、後述する。
【００４３】
コンテンツ格納部２６は、暗号化されたコンテンツを、所定のアドレスに格納している。復号キー格納部２７は、コンテンツの暗号化を解除するための復号キー、および復号キーの更新日時等を、所定のアドレスに格納している。
【００４４】
図６は、決済サーバ１２の構成例を示している。この構成は、コンテンツ提供サーバ１１と基本的に同様であるので、その詳細な説明は省略するが、ユーザマスタ５４は、図７に示すように、入金時に取得された、ユーザの氏名（漢字、カタカナ）、郵便番号、住所、電話番号、生年月日、性別、ｅ−ｍａｉｌアドレス、クレジットカードの番号とその有効期限、およびユーザの登録日時とパスワード（以下、個々に区別する必要がない場合、これらをまとめてユーザ情報と称する）、並びに電子マネー番号等を、それぞれ対応させて格納する。
【００４５】
課金管理データベース５５は、カードログ情報として、図８に示すように、電子マネー番号、入金履歴、電子マネーの残高、決済日時、決済番号、および決済終了コード等を、それぞれ対応させて格納する。
【００４６】
コンテンツ提供事業者マスタ５６は、図９に示すように、決済サーバ１２が決済可能なコンテンツ提供事業者に付与されたコンテンツ提供事業者ＩＤ、購入条件を利用したコンテンツの提供（販売）を行う旨を示すフラグ（以下、購入条件フラグと称する）、およびコンテンツ提供事業者の登録日時等を、それぞれ対応させて格納する。
【００４７】
次に、コンテンツ提供サーバ１１（コンテンツ提供事業者）を決済サーバ１２（電子マネー決済事業者）に登録する処理を、図１０のフローチャートを参照して説明する。コンテンツ提供事業者は、コンテンツ提供サーバ１１を用いて提供するコンテンツについて、決済サーバ１２により電子マネーによる決済を行ってもらうためには、電子マネー決済事業者への登録が必要となる。
【００４８】
ステップＳ１１において、コンテンツ提供サーバ１１のＣＰＵ１１は、決済サーバ１２に対して登録を要求する。なおこのとき購入条件を利用したコンテンツ提供を行う場合（購入条件を満たすユーザのみにコンテンツを提供するサービスを行う場合）、その旨を決済サーバ１２に通知する。
【００４９】
登録が要求されると、決済サーバ１２のＣＰＵ５１は、ステップＳ２１において、コンテンツ提供業者用のＩＤを発行し、それをコンテンツ提供事業者マスタ５６（図９）に記憶する。
【００５０】
コンテンツ提供サーバ１１から、購入条件を利用したコンテンツ提供を行う旨の通知があった場合には、コンテンツ提供事業者ＩＤには、その旨を示すフラグ（購入条件フラグ）を対応付けられる（図９）。この例の場合、コンテンツ提供サーバ１１は、購入条件を利用したコンテンツ提供を行うので、そのコンテンツ提供事業者ＩＤには、購入条件フラグが付されている。
【００５１】
なお、コンテンツ提供サーバ１１および決済サーバ１２の処理は、それぞれのＣＰＵ２１およびＣＰＵ５１によってなされるが、以下において、簡単のために、コンテンツ提供サーバ１１および決済サーバ１２の処理を説明する場合、「コンテンツ提供サーバ１１のＣＰＵ２１は」および「決済サーバ１２のＣＰＵ５１は」を、「コンテンツ提供サーバ１１は」および「決済サーバ１２は」と、ＣＰＵの文言を省略する。
【００５２】
次に、ステップＳ２２において、決済サーバ１２は、発行したコンテンツ提供事業者ＩＤを、コンテンツ提供サーバ１１に送信する。
【００５３】
決済サーバ１２からのコンテンツ提供事業者ＩＤを受信すると、コンテンツ提供サーバ１１は、ステップＳ１２において、それを記憶する。
【００５４】
このようにしてコンテンツ提供事業者が電子マネー決済事業者に登録される。
【００５５】
次に、入金処理を実行する場合の端末３および決済サーバ１２の動作を、図１１のフローチャートを参照して説明する。
【００５６】
ステップＳ３１において、端末３は、決済サーバ１２から提供された所定の操作画面を表示し、ユーザＡにより、その画面に対して所定の操作がなされたとき、装着されたＩＣカード１から、そこに記憶されている電子マネー番号を、リーダライタ２を介して読み出し、ステップＳ３２において、それを、決済サーバ１２に送信する。
【００５７】
決済サーバ１２は、端末３からの電子マネー番号を受信すると、ステップＳ４１において、その電子マネー番号が、後述するステップＳ４３の処理で記憶（登録）されているか否かを判定し、登録されていないと判定した場合、ステップＳ４２に進む。
【００５８】
ステップＳ４２において、決済サーバ１２は、ユーザ情報を入力するためのユーザ情報入力画面を端末３に送信する。
【００５９】
端末３は、ステップＳ３３において、ステップＳ４２で決済サーバ１２から送信されるユーザ情報入力画面、または後述するステップＳ４５で決済サーバ１２から送信されるパスワード入力画面のいずれが受信されたかを判定し、ユーザ情報入力画面が受信されたと判定した場合、ステップＳ３４に進む。
【００６０】
ステップＳ３４において、端末３は、ユーザ情報入力画面を表示して、ユーザ情報の入力をユーザＡに促す。ユーザＡにより、ユーザ情報（正確には、ユーザの登録日時とパスワードを除く、ユーザＡの氏名（漢字、カタカナ）、郵便番号、住所、電話番号、生年月日、性別、ｅ−ｍａｉｌアドレス、およびクレジットカードの番号とその有効期限など）が入力されると、端末３は、そのユーザ情報を決済サーバ１２に送信する。
【００６１】
決済サーバ１２は、端末３からのユーザ情報を受信すると、ステップＳ４３において、パスワードを発行する。そして決済サーバ１２は、そのパスワードとその発行日時（ユーザの登録日時）、並びに端末３からの電子マネー番号および受信したユーザ情報を、それぞれ対応させて、ユーザマスタ５４（図７）に記憶する。さらに決済サーバ１２は、ユーザＡのカードログ情報として、電子マネー番号とゼロ円の電子マネー残高を、それぞれ対応させて課金管理データベース５５（図８）に記憶する。
【００６２】
このようにしてユーザ情報を取得し、それを記憶すると、決済サーバ１２は、ステップＳ４４において、ステップＳ４３で発行したパスワードを、端末３（ユーザ情報のｅ−ｍａｉｌアドレス宛）に送信する。端末３は、決済サーバ１２からのパスワードを受信すると、ステップＳ３５において、それを表示する。これによりユーザＡは、パスワードを取得する。
【００６３】
ステップＳ４１において、電子マネー番号が既に登録されていると判定した場合、決済サーバ１２は、ステップＳ４２乃至ステップＳ４４の処理をスキップして、ステップＳ４５に進む。
【００６４】
ステップＳ４５において、決済サーバ１２は、パスワードを入力するためのパスワード入力画面を端末３に送信する。
【００６５】
パスワード入力画面が決済サーバ１２から送信される場合、ユーザ情報入力画面は送信されないので（ステップＳ４２）、端末３は、ステップＳ３３で、パスワード入力画面が受信されたと判定し、ステップＳ３６に進む。
【００６６】
ステップＳ３６において、端末３は、パスワード入力画面を表示して、パスワードの入力をユーザＡに促す。ユーザＡは、ステップＳ３５の処理で提示されたパスワードを入力する。ユーザＡによりパスワードが入力されると、端末３は、それを決済サーバ１２に送信する。
【００６７】
決済サーバ１２は、端末３からのパスワードを受信すると、ステップＳ４６において、ユーザマスタ５４（図７）を参照して、そのパスワードが、ステップＳ３１で端末３から送信されてきた電子マネー番号と対応付けられて記憶されている（正当なパスワードである）か否かを判定する。
【００６８】
正当なパスワードであると判定した場合、決済サーバ１２は、ステップＳ４７において、入金金額を入力するための入金金額入力画面を端末３に送信する。
【００６９】
端末３は、決済サーバ１２からの入金金額入力画面を受信すると、ステップＳ３７において、それを表示して、ユーザＡに入金金額の入力を促す。ユーザＡにより入金金額が入力されると、端末３は、入力された入金金額を、決済サーバ１２に送信する。
【００７０】
決済サーバ１２は、端末３からの入金金額を受信すると、ステップＳ４８において、図示せぬ与信装置に対して、クレジット決済要求の承認を求める。与信装置は、クレジット情報を精査した後、クレジット決済要求の可否を決定する。与信の結果が肯定的である場合、決済サーバ１２は、与信完了情報を、端末３に送信する。
【００７１】
端末３は、決済サーバ１２から与信完了情報を受信すると、ステップＳ３８において、ＩＣカード１の電子マネーの残高に、入金金額を加算する。
【００７２】
このようにして入金処理が行われる。
【００７３】
次に、ユーザＡがコンテンツを購入する場合の端末３、コンテンツ提供サーバ１１、および決済サーバ１２の動作を、図１２のフローチャートを参照して説明する。
【００７４】
ステップＳ６１において、端末３は、購入するコンテンツのＩＤと端末３に固有の端末ＩＤを送信し、電子マネーによる決済でのコンテンツ購入を、コンテンツ提供サーバ１１に要求する。
【００７５】
このとき端末３は、コンテンツ提供サーバ１１から予め提供された所定のコンテンツ販売画面を表示しており、ユーザＡは、その画面を参照して、購入するコンテンツを指定するとともに、その決済方法として、電子マネーによる決済を選択したものとする。
【００７６】
端末３から、電子マネーによる決済でのコンテンツ購入が要求されると、コンテンツ提供サーバ１１は、ステップＳ７１において、受注番号を発行するとともに、受信したコンテンツのＩＤに対応するコンテンツの名前、購入金額（販売金額）、および購入条件をコンテンツマスタ２４（図４）から読み出す。コンテンツ提供サーバ１１は、図５に示すように、端末ＩＤ、決済方法（電子マネーによる決済であること）、受注番号、コンテンツのＩＤ、名前、購入金額、および受注日時（以下、個々に区別する必要がない場合、これらをまとめて、受注情報と称する）を、それぞれ対応させて、販売履歴データベース２５に記憶する。なお、図５中、符号Ａが付されている情報は、受注情報を示している。
【００７７】
次に、ステップＳ７２において、コンテンツ提供サーバ１１は、図１０のステップＳ１２で記憶したコンテンツ提供事業者ＩＤ、ステップＳ７１で記憶した受注番号およびコンテンツの購入金額、並びにステップＳ７１で検出した購入条件（以下、個々に区別する必要がない場合、これらをまとめて、決済要求情報と称する）を端末３に送信する。
【００７８】
端末３は、コンテンツ提供サーバ１１からの決済要求情報を受信すると、ステップＳ６２において、ＩＣカード１から、リーダライタ２を介して、電子マネー番号および電子マネー残高を読み取る。
【００７９】
次に、ステップＳ６３において、端末３は、コンテンツ提供サーバ１１からの決済要求情報（コンテンツ提供事業者ＩＤ、受注番号、コンテンツの購入金額、購入条件）、並びに電子マネー番号および残高を、決済サーバ１２に送信する。
【００８０】
端末３からの情報を受信すると、決済サーバ１２は、ステップＳ８１において、決済番号を発行するとともに、決済要求情報に含まれるコンテンツ提供事業者ＩＤがコンテンツ提供事業者マスタ５６（図９）に記憶されているか否かを確認して、コンテンツ提供サーバ１１が正規のものか否かを判定する。なおこのとき決済サーバ１２は、購入条件フラグが立っているか否かも確認する。
【００８１】
コンテンツ提供サーバ１１が正規なものであると判定した場合、ステップＳ８２において、決済サーバ１２は、要求された決済が可能か否かを判定する。具体的には、決済サーバ１２は、決済要求情報とともに送信されてきた電子マネー番号が、ユーザマスタ５４（図７）に登録されているか否か、またユーザマスタ５４においてその電子マネー番号に対応付けられて記憶されているユーザ情報が購入条件を満たすか否か、さらに同様に決済要求情報とともに送信されてきた電子マネーの残高が、コンテンツの購入金額より大きいか否かなどを確認し、その確認結果に応じて、決済が可能であるか否かを判定する。
【００８２】
決済が可能であると判定した場合、ステップＳ８３に進み、決済サーバ１２は、決済番号、決済日時、および決済終了コード（決済を許可する旨を表す決済終了コード）の他、決済要求情報の中のコンテンツの購入金額および受注番号、並びに電子マネー番号と残高（以下、個々に区別する必要がない場合、これらをまとめて決済終了情報と称する）を、コンテンツ提供サーバ１１に送信する。
【００８３】
ステップＳ８２で、決済できないと判定された場合（購入条件を満たさない場合、または電子マネーの残高が購入金額より少なかった場合）、決済サーバ１２は、ステップＳ８３の処理をスキップして、ステップＳ８４に進む。
【００８４】
ステップＳ８４において、決済サーバ１２は、決済番号、決済日時、および決済終了コード（決済を許可しない旨を表す決済終了コード）の他、決済要求情報の中のコンテンツの購入金額および受注番号、並びに電子マネー番号と残高（すなわち、決済終了コードの内容以外は、ステップＳ８３で送信されるものと同じ決済終了情報）を、コンテンツ提供サーバ１１に送信する。このときの決済終了コードには、購入条件を満たさなかった、または残高が購入金額より少なかったなどの、決済を許可できない理由を含ませることができる。
【００８５】
なお、決済サーバ１２は、ステップＳ８３およびステップＳ８４における処理の際、図８に示すように、電子マネー番号、残高、決済番号、決済日時、および決済終了コードを、ＩＣカード１のカードログ情報として課金管理データベース５５に記憶する。
【００８６】
コンテンツ提供サーバ１１は、決済サーバ１２からの決済終了情報を受信すると、ステップＳ７３において、その決済終了情報の決済終了コードが、決済を許可する旨を表しているか、または許可しない旨を表しているかを判定し、決済を許可する旨を表していると判定した場合、ステップＳ７４に進む。
【００８７】
ステップＳ７４において、コンテンツ提供サーバ１１は、図５に示すように、決済終了情報の中の決済番号、決済日時、および決済終了コード（図５中、符号Ｂが付されている）を、ステップＳ７１で記憶した受注情報に追加して販売履歴データベース２５に記憶し、ステップＳ７５において、受注番号と決済番号を端末３に送信する。
【００８８】
ステップＳ７３で、決済終了コードが、決済を許可しない旨を表していると判定された場合、ステップＳ７６に進み、コンテンツ提供サーバ１１は、ステップＳ７４における場合と同様に、決済終了情報の中の決済番号、決済日時、および決済終了コードを、ステップＳ７１で記憶した受注情報に追加して記憶する。そしてステップＳ７７において、コンテンツ提供サーバ１１は、コンテンツを販売できない旨を端末３に送信する。
【００８９】
端末３は、ステップＳ６４において、コンテンツ提供サーバ１１からの決済番号および受注番号、またはコンテンツを販売できない旨のいずれが受信されたか否かを判定し、決済番号と受注番号が受信されたと判定した場合、ステップＳ６５に進む。
【００９０】
ステップＳ６５において、端末３は、コンテンツを購入することができた旨を表すメッセージを表示するとともに、ＩＣカード１の電子マネー残高から、コンテンツの購入金額を減算する。端末３はこのときまた、購入されたコンテンツに関する情報（例えば、名前やＩＤ等）を記憶し、ユーザＡによって購入されたコンテンツのリストに追加する（更新する）。
【００９１】
ステップＳ６４で、コンテンツを販売できなき旨が受信されたと判定した場合、ステップＳ６６に進み、端末３は、その旨を表すメッセージを表示する。
【００９２】
このようにして、ユーザ情報により決済がなされてコンテンツが購入されるが、その決済方法を、図１３を参照して整理する。
【００９３】
決済サーバ１２は、ＩＣカード１への入金処理時に、ユーザ情報を端末３から取得し（番号１）、それを、ユーザマスタ５４（図７）に記憶する。
【００９４】
そして、購入条件によるコンテンツ提供がなされる場合、端末３を介して、購入条件（決済要求情報に含まれている）が送信され、決済が要求されると、決済サーバ１２は、ユーザ情報が購入条件を満たすか否かを判定し、その判定結果を利用して、決済が可能か否かを判定する。決済サーバ１２は、決済が可能であると判定した場合、コンテンツ提供サーバ１１を介して、決済を許可する旨を端末３に通知する（正確には、決済を許可する旨の決済終了コードがコンテンツ提供サーバ１１に送信され、コンテンツ提供サーバ１１から、決済番号と受注番号が端末３に送信される）。
【００９５】
端末３はこのとき、ＩＣカード１の電子マネーの残高から、コンテンツの購入金額を減算する。
【００９６】
次に、購入したコンテンツを視聴する場合の端末３およびコンテンツ提供サーバ１１の動作を、図１４のフローチャートを参照して説明する。
【００９７】
ユーザＡが、端末３に表示された、ユーザＡが購入したコンテンツのリスト（図１２のステップＳ６５で更新されたもの）から、視聴するコンテンツを指定すると、ステップＳ１０１において、端末３は、指定されたコンテンツのＩＤと、端末３の端末ＩＤを、コンテンツ提供サーバ１１に送信して、コンテンツの提供を要求する。
【００９８】
端末３から、コンテンツ提供の要求を受けると、コンテンツ提供サーバ１１は、ステップＳ１１１において、販売履歴データベース２５（図５）から、受信したコンテンツＩＤと端末ＩＤに対応して記憶されている決済終了コード（図１２のステップＳ７４またはステップＳ７６で記憶されたもの）を検出する。
【００９９】
次に、ステップＳ１１２において、コンテンツ提供サーバ１１は、ステップＳ１１１で検出した決済終了コードが、決済を許可する旨を表しているかまたは決済を許可しない旨を表しているかを判定し、決済を許可する旨を表していると判定した場合、すなわち決済が完了しているとき、ステップＳ１１３に進む。
【０１００】
ステップＳ１１３において、コンテンツ提供サーバ１１は、コンテンツマスタ２４（図４）から、コンテンツＩＤに対応付けられて記憶されているコンテンツアドレスを検出する。次に、ステップＳ１１４において、コンテンツ提供サーバ１１は、検出したコンテンツアドレスに記憶されている復号キーとコンテンツ本体を復号キー格納部２７およびコンテンツ格納部２６からそれぞれ読み出す。ステップＳ１１５において、コンテンツ提供サーバ１１は、読み出した復号キーおよびコンテンツ本体を端末３に送信する。なおこの送信は、ストリーミングまたはダウンロードの形態で行われる。
【０１０１】
コンテンツ提供サーバ１１は、コンテンツを端末３に送信したとき、そのときの日時（図２５中、符号Ｃが付されている）を、販売履歴データベース２５に記憶する。
【０１０２】
ステップＳ１１２で、ステップＳ１１１で検出した決済終了コードが、決済を許可しない旨を表していると判定された場合、ステップＳ１１３乃至ステップＳ１１４の処理はスキップされ、処理は終了する。すなわちこの場合、コンテンツは端末３に送信されないので、ユーザＡはコンテンツを視聴することができない。
【０１０３】
端末３は、ステップＳ１０２において、復号キーおよびコンテンツが受信されたか否かを判定し、受信されたと判定した場合、ステップＳ１０３に進み、復号キーでコンテンツの暗号化を解除して再生する。その結果、ユーザＡはコンテンツを視聴することができる。
【０１０４】
ステップＳ１０２で、復号キーおよびコンテンツが受信されなかったと判定した場合、端末３は、ステップＳ１０４で、その旨を表示して、処理を終了させる。
【０１０５】
以上のようにしてコンテンツが視聴される。
【０１０６】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１０７】
この記録媒体は、図３，６に示すように、コンピュータとは別に、ユーザにプログラムを提供するために配布される、プログラムが記録されている磁気ディスク４１，７１（フロッピディスクを含む）、光ディスク４２，７２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク４３，７３（ＭＤ（Ｍｉｎｉ−Ｄｉｓｋ）を含む）、若しくは半導体メモリ４４，７４などによりなるパッケージメディアにより構成されるだけでなく、コンピュータに予め組み込まれた状態でユーザに提供される、プログラムが記録されているＲＯＭ２２，５２などで構成される。
【０１０８】
なお、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【０１０９】
【発明の効果】
第１乃至第３の本発明によれば、決済処理装置が、利用者情報を利用して決済処理を行うことができる。
【図面の簡単な説明】
【図１】従来のコンテンツ提供システムの構成例を示す図である。
【図２】本発明のコンテンツ提供システムの構成例を示す図である。
【図３】図２のコンテンツ提供サーバの構成例を示すブロック図である。
【図４】図３のコンテンツマスタのデータ構造を示す図である。
【図５】図３の販売履歴データベース２５のデータ構造を示す図である。
【図６】図２の決済サーバの構成例を示すブロック図である。
【図７】図６のユーザマスタのデータ構造を示す図である。
【図８】図６の課金管理データベースのデータ構造を示す図である。
【図９】図６のコンテンツ提供事業者マスタのデータ構造を示す図である。
【図１０】コンテンツ提供事業者の登録処理を説明するフローチャートである。
【図１１】入金処理を説明するフローチャートである。
【図１２】コンテンツ購入処理を説明するフローチャートである。
【図１３】決済処理を説明する図である。
【図１４】コンテンツ視聴処理を説明するフローチャートである。
【符号の説明】
１１  コンテンツ提供サーバ，  １２  決済サーバ，  ２１  ＣＰＵ，  ２２  ＲＯＭ，  ２３  ＲＡＭ，  ２４  コンテンツマスタ，  ２５  販売履歴データベース，  ２６  コンテンツ格納部，  ２７  復号キー格納部，  ２８  バス，  ２９入出力インタフェース，  ３０  出力部，  ３１  入力部，  ３２  通信部，５１  ＣＰＵ，  ５２  ＲＯＭ，  ５３  ＲＡＭ，  ５４  ユーザマスタ，  ５５  課金管理データベース，  ５６  コンテンツ提供事業者マスタ，  ５７  バス，  ５８  入出力インタフェース，  ５９  出力部，  ６０  入力部，  ６１  通信部
【図１】
2004234462.tif 000003
【図２】
2004234462.tif 000004
【図３】
2004234462.tif 000005
【図４】
2004234462.tif 000006
【図５】
2004234462.tif 000007
【図６】
2004234462.tif 000008
【図７】
2004234462.tif 000009
【図８】
2004234462.tif 000010
【図９】
2004234462.tif 000011
【図１０】
2004234462.tif 000012
【図１１】
2004234462.tif 000013
【図１２】
2004234462.tif 000014
【図１３】
2004234462.tif 000015
【図１４】
2004234462.tif 000016